(57)【要約】【課題】サムネイル画像の表示から本体画像の表示への遷移を滑らかに行うことを可能とする。【解決手段】撮像装置のシステム制御部50は、画像表示部28に対する表示方法を、第1の画像表示方法と第2の画像表示方法のいずれかの画像表示方法に、操作部70の操作に応じて切り替える。第1の画像表示方法では、本体画像を画像表示部28の表示領域のサイズに基づく第1の表示サイズで1枚ずつ表示する。第2の画像表示方法では、サムネイル画像を第1の表示サイズよりも小さい第2の表示サイズで表示する。第2の画像表示方法による表示から第1の画像表示方法による表示に切り替える際に、画像表示部28に表示されているサムネイル画像のうち、本体画像に対応する領域を、本体画像に置き換える。その後、置き換えられて表示されている本体画像を第1の表示サイズになるまで順次拡大しながら表示していく。【選択図】図６
2010192990.tif 000002
【特許請求の範囲】
【請求項１】
第１の画像データと該第１の画像データよりも画素数の少ない第２の画像データとにより各コマが構成された画像を記憶媒体から読み出して表示手段に表示する表示制御装置であって、
前記第１の画像データに基づいた画像を前記表示手段の表示領域のサイズに基づく第１の表示サイズで１枚ずつ前記表示手段に表示する第１の画像表示方法と、前記第２の画像データに基づいた画像を前記第１の表示サイズよりも小さく設定された第２の表示サイズで前記表示手段に表示する第２の画像表示方法のいずれかの画像表示方法に、操作手段の操作に応じて切り替える切替制御手段と、
前記切替制御手段により前記第２の画像表示方法による表示から前記第１の画像表示方法による表示に切り替える際に、前記表示手段に表示されている前記第２の画像データに基づいた画像のうち、前記第１の画像データに対応する領域を、前記第１の画像データに基づいた画像に置き換える置き換え手段と、
前記置き換え手段によって置き換えられて表示されている前記第１の画像データに基づいた画像を前記第１の表示サイズになるまで順次拡大しながら表示していくよう制御する表示制御手段と
を備えることを特徴とする表示制御装置。
【請求項２】
前記表示制御手段は、前記第２の画像表示方法により前記第２の画像データに基づいた画像を表示している場合で前記操作手段の操作が予め定められた時間なされない場合に、前記第２の画像データに基づいた画像の表示から前記第１の画像データに基づいた画像の表示に遷移させることを特徴とする請求項１記載の表示制御装置。
【請求項３】
前記第２の画像表示方法は、前記第２の画像データに基づいた画像を前記表示手段の予め定められた表示位置に強調表示すると共に、前記強調表示された前記第２の画像データに基づいた画像とは異なる少なくとも２つの前記第２の画像データに基づいた画像を前記表示手段に表示する画像表示方法を含み、
前記置き換え手段は、前記切替制御手段により前記第２の画像表示方法による表示から前記第１の画像表示方法による表示に切り替える際に、前記表示手段の前記表示位置に強調表示されている前記第２の画像データに基づいた画像のうち、前記第１の画像データに対応する領域を、前記第１の画像データに基づいた画像に置き換えることを特徴とする請求項１記載の表示制御装置。
【請求項４】
前記表示制御手段は、前記切替制御手段により前記第２の画像表示方法による表示から前記第１の画像表示方法による表示に切り替える際に、前記少なくとも２つの前記第２の画像データに基づいた画像を非表示とすることを特徴とする請求項３記載の表示制御装置。
【請求項５】
前記置き換え手段は、前記切替制御手段により前記第２の画像表示方法による表示から前記第１の画像表示方法による表示に切り替える通知を受けた場合に、前記置き換える処理を行うことを特徴とする請求項１記載の表示制御装置。
【請求項６】
前記置き換え手段は、前記第１の画像データに基づいた画像の縦横比と前記第２の画像データに基づいた画像の縦横比が異なる場合に、前記置き換える処理を行うことを特徴とする請求項１記載の表示制御装置。
【請求項７】
請求項１乃至６のいずれかに記載の表示制御装置を備えることを特徴とする撮像装置。
【請求項８】
第１の画像データと該第１の画像データよりも画素数の少ない第２の画像データとにより各コマが構成された画像を記憶媒体から読み出して表示手段に表示する表示制御装置の制御方法であって、
前記第１の画像データに基づいた画像を前記表示手段の表示領域のサイズに基づく第１の表示サイズで１枚ずつ前記表示手段に表示する第１の画像表示方法と、前記第２の画像データに基づいた画像を前記第１の表示サイズよりも小さく設定された第２の表示サイズで前記表示手段に表示する第２の画像表示方法のいずれかの画像表示方法に、操作手段の操作に応じて切り替える切替制御ステップと、
前記切替制御ステップにより前記第２の画像表示方法による表示から前記第１の画像表示方法による表示に切り替える際に、前記表示手段に表示されている前記第２の画像データに基づいた画像のうち、前記第１の画像データに対応する領域を、前記第１の画像データに基づいた画像に置き換える置き換えステップと、
前記置き換えステップによって置き換えられて表示されている前記第１の画像データに基づいた画像を前記第１の表示サイズになるまで順次拡大しながら表示していくよう制御する表示制御ステップと、
を有することを特徴とする制御方法。
【請求項９】
請求項８に記載の表示制御装置の制御方法をコンピュータに実行させるためのコンピュータで読み取り可能なプログラムコードを有することを特徴とするプログラム。
【請求項１０】
請求項９に記載のプログラムを格納することを特徴とするコンピュータで読み取り可能な記憶媒体。
【発明の詳細な説明】
【技術分野】
【０００１】
本発明は、サムネイル画像表示から本体画像表示への滑らかな遷移を実現するための表示制御装置、撮像装置、制御方法、プログラム、及び記憶媒体に関する。
【背景技術】
【０００２】
近年、撮像装置（デジタルカメラ）を始めとする携帯端末の記憶媒体としてメモリカードが広範に用いられている。メモリカードは大容量化及び低価格化が進んだことからその普及が進展しており、多くのユーザがメモリカードを介して大量の画像ファイルを気軽に持ち運ぶことができるようになっている。そこで、大量の画像ファイルからユーザが所望の画像をいち早く見つけ出せるように、画像検索の向上に対する要望が高まってきている。
【０００３】
しかし、撮像装置で撮影した画像を１枚ずつ順次送りながら所望の画像を検索する場合、次の画像を撮像装置の表示部に表示するには、一度、画像情報をデコードしてから表示させる必要がある。そのため、画像を表示するまでに時間がかかり、所望の画像を検索するのに非常に多くの時間がかかってしまうという問題がある。
【０００４】
そこで、上記の問題から画像検索の向上を図る技術が提案されている（例えば、特許文献１参照）。特許文献１では、本体画像（元の画像）を表示する代わりに、表示に時間がかからないサムネイル画像を一画面に複数枚表示する早送りモードを通常表示モードとは別に設けている。早送りモードで所望の検索対象画像のサムネイル画像をユーザが選択してから一定時間ボタン操作が行われなければ、早送りモードを終了し、選択されているサムネイル画像の本体画像を表示することで、画像検索性を向上させている。
【０００５】
ところで、最近はデジタルカメラを含む携帯端末の表示装置として使用される液晶ディスプレイの低価格化が進み、３インチ以上の液晶ディスプレイを搭載した機種も増えてきている。また、多くのデジタルカメラはビデオ出力機能を有しており、自宅や会社等の大画面テレビにデジタルカメラの画像を出力し表示することで鑑賞するといった使い方もされている。
【０００６】
このような事情を鑑みて、一画面に４枚〜９枚程度のサムネイル画像の表示が主流であった従来機種に対し、近年では一画面に１００枚以上のサムネイル画像を表示することで従来よりも画像検索性を向上させたデジタルカメラも増えてきている。しかし、表示した１００枚以上のサムネイル画像から所望の画像を選択する場合、ユーザにとってどの画像を選択対象としているかが把握しづらいという問題があった。
【０００７】
そこで、選択対象とする画像を分かりやすく明示する技術が提案されている（例えば、特許文献２参照）。特許文献２では、早送りモードが解除されると、画面上で所定の位置にあるサムネイル画像に対応する本体画像をサムネイル画像よりも大きなサイズで表示することで、ユーザが選択対象としている画像を明示している。
【先行技術文献】
【特許文献】
【０００８】
【特許文献１】特開平１１−００４３６７号公報
【特許文献２】特開２００１−２１１４０８号公報
【発明の概要】
【発明が解決しようとする課題】
【０００９】
近年、デジタルハイビジョン放送やＤＶＤの視聴を想定し、表示画面のアスペクト比が従来の４：３ではなく１６：９の製品が、テレビを始めとする表示装置で主流となってきている。デジタルカメラ等の携帯端末でも１６：９のアスペクト比の液晶ディスプレイを搭載した製品も多く出てきている。一般に１６：９のアスペクト比の液晶ディスプレイを搭載したデジタルカメラで撮影した画像も１６：９のアスペクト比で生成されるため、撮影した画像をそのまま表示することが可能である。
【００１０】
ところで、デジタルカメラで撮影した画像は、Ｅｘｉｆ（Exchange Image File Format）と呼ばれるデジタルカメラ用の画像ファイル規格に基づき記録される。Ｅｘｉｆ規格を用いた場合、撮影画像についての情報や撮影日時などの付加情報を記録できるほか、上述したサムネイル画像を記録することができる。Ｅｘｉｆ規格では、サムネイル画像のアスペクト比は４：３と規定されている。そのため、１６：９のアスペクト比の画像のサムネイル画像を作成する場合、図９に示すように４：３のアスペクト比のサムネイル画像９０１内の上下に黒塗り領域９０２を設けることで擬似的に１６：９のアスペクト比の画像として表示している。サムネイル画像９０１のうち、黒塗り領域９０２を除く領域が実際の画像に対応する。
【００１１】
さて、近年、サムネイル画像表示から本体画像表示に遷移する場合、いきなり表示が切り替わるのではなく、選択されたサムネイル画像を徐々に拡大するアニメーション効果を伴って、最後に本体画像を表示するような切り替え方法の実現が要望されている。このような切り替え方法が実現されたと仮定すると、ユーザが複数のサムネイル画像から所望のサムネイル画像を選択してから本体画像表示に切り替えた場合でも、滑らかに画面が切り替わるため、ユーザは迷うことなく所望の画像を閲覧できることが予想される。
【００１２】
上記切り替え方法を実現するために、選択されたサムネイル画像を本体画像と同じ大きさになるまで徐々に拡大していき、同じ大きさになったらサムネイル画像を本体画像に置き換えるという手法が考えられる。この手法では、画像を徐々に拡大するためのアニメーションを全て情報量の少ないサムネイル画像で行うため、アニメーションの描画処理にかかる負荷が少なくて済むという利点がある。
【００１３】
しかし、上述した１６：９のアスペクト比の画像において、上記の手法によりサムネイル画像表示から本体画像表示へのアニメーション効果を実現しようとする場合、以下のような問題がある。例えば、図１０（ａ）に示すサムネイル画像１００１を徐々に拡大して最終的に１６：９のアスペクト比の画像を全画面表示するというアニメーション表示を行う場合を想定する。
【００１４】
図１０（ａ）の状態から４：３のアスペクト比のサムネイル画像１００１を拡大していってしまうと、図１０（ｂ）の状態までは何段階かに分けて徐々に拡大され、スムーズな拡大アニメーションとなる。しかし、図１０（ｂ）のようにサムネイル画像の長辺と表示領域の長辺が一致した時点でいったんサムネイル画像１００２が画面一杯になって拡大が終了してしまう。最後に図１０（ｂ）の状態からサムネイル画像１００２を図１０（ｃ）に示すように本体画像１００３に置き替えるという処理を行うと、図１０（ｂ）の表示が図１０（ｃ）の表示に一気に切り替わってしまうことになる。即ち、段階的な拡大とはならず、滑らかなアニメーション表示とならないという問題がある。
【００１５】
本発明の目的は、サムネイル画像の表示から本体画像の表示への遷移を滑らかに行うことを可能とした表示制御装置、撮像装置、制御方法、プログラム、及び記憶媒体を提供することにある。
【課題を解決するための手段】
【００１６】
上記目的を達成するため、本発明は、第１の画像データと該第１の画像データよりも画素数の少ない第２の画像データとにより各コマが構成された画像を記憶媒体から読み出して表示手段に表示する表示制御装置であって、前記第１の画像データに基づいた画像を前記表示手段の表示領域のサイズに基づく第１の表示サイズで１枚ずつ前記表示手段に表示する第１の画像表示方法と、前記第２の画像データに基づいた画像を前記第１の表示サイズよりも小さく設定された第２の表示サイズで前記表示手段に表示する第２の画像表示方法のいずれかの画像表示方法に、操作手段の操作に応じて切り替える切替制御手段と、前記切替制御手段により前記第２の画像表示方法による表示から前記第１の画像表示方法による表示に切り替える際に、前記表示手段に表示されている前記第２の画像データに基づいた画像のうち、前記第１の画像データに対応する領域を、前記第１の画像データに基づいた画像に置き換える置き換え手段と、前記置き換え手段によって置き換えられて表示されている前記第１の画像データに基づいた画像を前記第１の表示サイズになるまで順次拡大しながら表示していくよう制御する表示制御手段とを備えることを特徴とする。
【発明の効果】
【００１７】
本発明によれば、サムネイル画像の表示から本体画像の表示への遷移を滑らかに行うことが可能となる。
【図面の簡単な説明】
【００１８】
【図１】本発明の実施の形態に係る撮像装置の電気的な構成を示すブロック図である。
【図２】撮像装置の各種ボタン及びスイッチの配置を示す概略図である。
【図３】撮像装置で扱う画像ファイルのデータ構造を示す図である。
【図４】撮像装置の通常画像送りシーケンスを示すフローチャートである。
【図５】撮像装置のサムネイル画像送りシーケンスを示すフローチャートである。
【図６】撮像装置のサムネイル画像表示から本体画像表示に遷移するまでの処理を示すフローチャートである。
【図７】撮像装置の画像表示部のサムネイル画像表示状態を示す図である。
【図８】（ａ）〜（ｆ）は、撮像装置の画像表示部の表示の遷移を示す図である。
【図９】従来例に係る撮像装置のサムネイル画像表示を示す図である。
【図１０】（ａ）〜（ｃ）は、サムネイル画像表示から本体画像表示への遷移を示す図である。
【発明を実施するための形態】
【００１９】
以下、本発明の実施の形態を図面に基づいて説明する。
【００２０】
図１は、本発明の実施の形態に係る撮像装置の電気的な構成を示すブロック図である。
【００２１】
図１において、撮像装置１００は、光学系１０、シャッタ１２、撮像素子１４、画像表示部２８、システム制御部５０等を備えており、光学系１０を介して被写体の光学像を撮影するデジタルカメラとして構成されている。尚、撮像装置１００の以下の構成における本発明に直接関係しない箇所については説明を簡略化または省略する。
【００２２】
光学系１０は、ズームレンズ（撮影画角を変更可能なレンズ）を備えている。これにより、撮像装置１００においては、光学的なズーム機能（いわゆる光学ズーム）が提供されている。更に、撮像装置１００は、撮像素子１４により撮像される画像を電子的に切り取る（トリミング）ことによる電子的なズーム機能（いわゆる電子ズーム）を有するように構成することが可能である。
【００２３】
尚、撮像装置１００は、光学ズーム及び電子ズームのいずれか一方の機能のみを有するように構成することも可能である。また、光学系１０は、交換可能に構成してもよい。この場合は、撮像装置１００の本体側から光学系１０に対して電気信号を送ることにより、光学系１０内の駆動機構が変倍用のレンズを駆動してズーム機能を提供してもよい。または、撮像装置１００の本体側に光学系１０内の変倍用のレンズを機械的に駆動する駆動機構を設けてもよい。
【００２４】
光学系（撮影レンズ）１０を通る被写体からの光線（光学的な画角内から入射する光線）は、絞り機能を備えるシャッタ１２の開口を通して撮像素子（例えばＣＣＤセンサまたはＣＭＯＳセンサ）１４の撮像面に被写体の光学像を形成する。撮像素子１４は、光学像を電気的なアナログ画像信号に変換して出力する。Ａ／Ｄ変換器１６は、アナログ画像信号をデジタル画像信号に変換する。撮像素子１４及びＡ／Ｄ変換器１６は、タイミング発生回路１８から供給されるクロック信号と制御信号により制御される。タイミング発生回路１８は、メモリ制御回路２２及びシステム制御部５０により制御される。
【００２５】
画像処理回路２０は、Ａ／Ｄ変換器１６から出力される画像データ（デジタル画像信号）又はメモリ制御回路２２から出力される画像データに対して画像処理（画素補間処理、色変換処理等）を行う。また、画像処理回路２０は、撮像素子１４で撮像された画像データに基づいて次の演算を行う。ＴＴＬ（スルー・ザ・レンズ）方式のＡＦ（オートフォーカス）処理、ＡＥ（自動露出）処理、ＥＦ（フラッシュプリ発光による自動調光）処理のためのデータを演算し、その演算結果をシステム制御部５０に提供する。
【００２６】
画像処理回路２０の演算結果に基づいて、システム制御部５０は、露光制御部４０、測距制御部（ＡＦ制御部）４２を制御する。これにより、自動露出やオートフォーカス機能を実現している。更に、画像処理回路２０は、撮像素子１４で撮像された画像データに基づいてＴＴＬ方式のＡＷＢ（オートホワイトバランス）処理も実行する。
【００２７】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０及びメモリ制御回路２２を介して、又は、画像処理回路２０を介することなくメモリ制御回路２２を介して、画像表示メモリ２４或いはメモリ３０に書き込まれる。
【００２８】
画像表示メモリ２４に書き込まれた表示用の画像データは、Ｄ／Ａ変換器２６により表示用のアナログ画像信号に変換されて画像表示部２８（表示手段）に出力される。これにより、画像表示部２８に撮像画像が表示される。画像表示部２８に撮像画像を連続的に表示することにより、電子ファインダ機能が実現される。画像表示部２８（図２参照）は、システム制御部５０からの指令により任意に表示をＯＮ／ＯＦＦすることが可能に構成されている。
【００２９】
システム制御部５０（切替制御手段、表示制御手段、置き換え手段）は、撮像装置全体を制御するものであり、プログラムに基づき後述の各フローチャートに示す処理を実行する。システム制御部５０は、ユーザによる操作部７０（図２参照）の操作に基づき、画像表示部２８の表示を、第１の画像表示方法による表示、第２の画像表示方法による表示のいずれかに切り替える。
【００３０】
第１の画像表示方法は、メモリ３０或いは外部記憶媒体９３から読み出した画像を１枚ずつ画像表示部２８に表示する画像表示方法である。第２の画像表示方法は、メモリ３０或いは外部記憶媒体９３から読み出した本体画像（サムネイル画像を作成する元となる画像）のサムネイル画像を画像表示部２８に表示する画像表示方法である。
【００３１】
即ち、システム制御部５０は、ユーザにより左キー２５５、右キー２５６（図２）（操作手段）の操作を検知した場合に第１の画像表示方法による画像表示（通常画像表示）を行う。また、システム制御部５０は、ユーザにより操作されたホイール２６３（図２）（操作手段）の回転速度が後述の閾値１よりも速い場合に第２の画像表示方法による画像表示（サムネイル画像表示）を行う。
【００３２】
本実施の形態では、システム制御部５０が次の制御を行う。画像表示部２８に対する表示方法を、第１の画像表示方法と第２の画像表示方法のいずれかの画像表示方法に、ユーザによる操作部７０の操作に応じて切り替える。第２の画像表示方法による表示から第１の画像表示方法による表示に切り替える際に、画像表示部２８に表示されているサムネイル画像のうち、本体画像に対応する領域を、本体画像に置き換える。その後、置き換えられて表示されている本体画像を第１の表示サイズになるまで順次拡大しながら表示していく。ここで、第１の画像表示方法の第１の表示サイズは全画面表示サイズであり、第２の画像表示方法の第２の表示サイズは全画面表示サイズよりも小さく設定されたサイズである。
【００３３】
尚、第２の画像表示方法による表示から第１の画像表示方法による表示に切り替える制御を行う（通知を受けた）場合に、上記置き換える処理を行う。また、サムネイル画像のアスペクト比（縦横比）と本体画像のアスペクト比（縦横比）が異なる場合に、上記置き換える処理を行う。
【００３４】
メモリ３０は、撮影（記憶媒体に記録する画像として撮像）した静止画像や動画像を格納するために使用される。メモリ３０の容量やアクセス速度（書き込み速度、読み出し速度）は、任意に決定可能であるが、複数枚の静止画像を連続して撮影する連写撮影やパノラマ撮影を可能にするためには、それに応じた容量やアクセス速度を与える必要がある。メモリ３０は、システム制御部５０の作業領域としても使用可能である。
【００３５】
圧縮・伸長回路３２は、例えば適応離散コサイン変換（ＡＤＣＴ）等により画像データを圧縮・伸長する回路である。圧縮・伸長回路３２は、メモリ３０に格納された画像データを読み込んで圧縮処理或いは伸長処理を行い、処理を終えた画像データをメモリ３０に書き込む。
【００３６】
露光制御部４０は、システム制御部５０から提供される情報に基づいて、シャッタ１２を制御する。露光制御部４０は、フラッシュ（発光装置）４８と連携したフラッシュ調光機能も有する。フラッシュ４８は、フラッシュ調光機能及びＡＦ補助光の投光機能を有する。測距制御部４２は、システム制御部５０から提供される情報に基づいて、光学系１０のフォーカシング用レンズを制御する。ズーム制御部４４は、光学系１０のズーミングを制御する。バリア制御部４６は、光学系１０を保護するためのバリア１０２の動作を制御する。
【００３７】
表示部（例えば、ＬＣＤ、ＬＥＤ）５４、音源（例えば、スピーカ）（不図示）は、撮像装置１００の所定箇所に配置され、それぞれ単数又は複数の素子から構成されている。本実施の形態では、表示部５４はＬＣＤ及びＬＥＤの両方を備える。表示部５４と音源は、システム制御部５０におけるプログラムの実行に応じて、文字、画像、音声等により動作状態やメッセージ等を報知する。表示部５４を構成する一部の表示素子は、光学ファインダ１０４内に配置可能である。表示部５４に表示される情報の詳細は省略する。
【００３８】
メモリ５２は、撮像装置１００の電源８６がＯＦＦされた際に画像表示部２８に表示されていた画像を識別するための画像番号ｎを記憶する。不揮発性メモリ５６は、電気的にデータの記録及び消去が可能な例えばＥＥＰＲＯＭから構成されている。撮像装置１００で撮像した画像データや外部機器から送信されるオブジェクトデータは、不揮発性メモリ５６に格納してもよい。
【００３９】
第１シャッタスイッチ（ＳＷ１）６２は、シャッタボタン２６０（図２）の操作途中（半押し）でＯＮとなり、ＡＦ処理、ＡＥ処理、ＡＷＢ処理、ＥＦ処理等の開始をシステム制御部５０に指示する。第２シャッタスイッチ（ＳＷ２）６４は、シャッタボタン２６０の操作完了（全押し）でＯＮとなり、以下の一連の処理（撮影）の開始をシステム制御部５０に指示する。
【００４０】
上記一連の処理には、撮像素子１４から画像信号を読み出してＡ／Ｄ変換器１６でデジタル画像データに変換した後に画像処理回路２０で処理を行い、メモリ制御回路２２を介してメモリ３０に書き込む処理を含む。また、上記一連の処理には、メモリ３０から画像データを読み出して圧縮・伸長回路３２で圧縮し、圧縮後の画像データを外部記憶媒体９３に書き込む処理を含む。
【００４１】
ズーム操作部２６２は、撮影画角（ズーム倍率或いは撮影倍率）を変更するために撮影者により操作され、例えばスライド式の操作部材（またはレバー式の操作部材）とその動作を検知するスイッチ（またはセンサ）から構成される。操作部７０は、後述の各種ボタン及びスイッチ２５１〜２６２を備えている（図２参照）。各種ボタン及びスイッチ２５１〜２６２は、撮像装置１００の電源のＯＮ／ＯＦＦ、撮影条件の設定或いは変更、撮影条件の確認、撮像装置１００の状態の確認、撮影済みの画像（本体画像、サムネイル画像）の確認を行う際に操作される。
【００４２】
電源制御部８０は、電源検出回路、ＤＣ−ＤＣコンバータ、通電するブロックを切り替えるスイッチ回路等を備えている。電源制御部８０は、電源の有無、電源の種類、電源（電池）の残量を検出し、その検出結果とシステム制御部５０からの指令に従ってＤＣ−ＤＣコンバータを制御し、必要な電圧を必要な期間に各ブロックに供給する。撮像装置１００の本体と電源８６は、コネクタ８２、８４を介して接続される。電源８６は、一次電池（アルカリ電池、リチウム電池等）、二次電池（ＮｉＣｄ電池、ＮｉＭＨ電池、Ｌｉ電池等）、ＡＣアダプタ等から構成される。
【００４３】
外部記憶媒体９３は、コネクタ９２を介して撮像装置１００に接続される。外部記憶媒体９３は、記憶部（半導体メモリ或いはハードディスク）及びインタフェース（不図示）を備え、カードコントローラ９０を介して撮像装置１００内のバスに接続される。記憶媒体着脱検知部９８は、コネクタ９２に外部記憶媒体９３が接続されているか否かを検知する。尚、インタフェース及びコネクタの詳細は省略する。
【００４４】
光学ファインダ１０４は、画像表示部２８による電子ファインダ機能を使用することなしに撮影を行うことを可能にする。光学ファインダ１０４には、表示部５４の一部を構成する表示素子（例えば、合焦表示、手振れ警告表示、フラッシュ充電表示、シャッタスピード表示、絞り値表示、露出補正表示を行うための表示素子）が設けられている。
【００４５】
通信部１１０は、ＵＳＢ、ＩＥＥＥ１３９４、Ｐ１２８４、ＳＣＳＩ、モデム、ＬＡＮ、ＲＳ２３２Ｃ、無線通信等の各種通信機能を提供する。通信部１１０には、撮像装置１００を外部機器と接続するためのコネクタ（または無線通信機能を提供する際にはアンテナ）１１２が接続される。
【００４６】
図２は、撮像装置１００の各種ボタン及びスイッチの配置を示す概略図である。
【００４７】
図２において、撮像装置１００は、操作部として各種ボタン及びスイッチ２５１〜２６２を備えている。電源ボタン２５１は、撮像装置１００の起動及び停止（或いは撮像装置１００の主電源のＯＮ／ＯＦＦ）を行う際に操作する。メニューボタン２５２は、各種の撮像条件（モード或いは項目）の設定を行うためのメニュー及び撮像装置１００の状態を表示するためのメニューの表示を行う際に操作する。
【００４８】
上記メニューは、選択可能で値を変更可能な複数の項目（或いは、選択可能な複数の項目、または値を変更可能な複数の項目）を含んで構成される。メニューにおける設定が可能なモード或いは項目には、例えば以下のものが含まれる。撮影モード（例えば、露出の決定に関しては、プログラムモード、絞り優先モード、シャッタスピード優先モード等）。パノラマ撮影モード。情報コード読み取りモード。再生モード。マルチ画面再生・消去モード。ＰＣ（パーソナルコンピュータを含むコンピュータ）接続モード。露出補正。フラッシュ設定。単写／連写の切り替え。セルフタイマ設定。記録画質設定。日時設定。記録された画像のプロテクト。
【００４９】
メニューボタン２５２が押下されると、システム制御部５０は、画像表示部２８にメニューを表示させる。メニューは、撮像中の画像の上に合成して表示されてもよいし、単独で表示（例えば、所定の背景色の上に表示）されてもよい。画像表示部２８にメニューが表示されている状態で再度メニューボタン２５２が押下されると、システム制御部５０は、画像表示部２８へのメニューの表示を終了させる。
【００５０】
決定ボタン（ＳＥＴボタン）２５３は、表示されたメニューにおけるモード或いは項目を決定或いは選択する際に操作する。システム制御部５０は、決定ボタン２５３が押下されると、そのときに選択されているモード或いは項目を設定する。表示ボタン２５４は、撮像した画像についての撮影情報の表示・非表示の選択、画像表示部２８を電子ファインダとして機能させるか否かの切り替えを行う際に操作する。
【００５１】
左キー２５５、右キー２５６、上キー２５７、下キー２５８（以上、方向選択キー）は、以下の変更等を行う場合に操作する。カーソル又はハイライト部等のような、複数の選択肢の中で選択されている選択肢（例えば、項目、画像）を変更する場合。選択されている選択肢を特定する指標の位置を変更する場合。数値（例えば、補正値や日時等を示す数値など）を増減する場合。
【００５２】
尚、左キー２５５、右キー２５６、上キー２５７、下キー２５８により、複数の項目の中から１つの項目のみを選択する他、２つ以上の項目を選択することができるようにユーザインタフェースが構成されることが好ましい。例えば、決定ボタン２５３が押下された状態で左キー２５５、右キー２５６、上キー２５７、下キー２５８が操作された場合に、その操作により指定された２つ以上の項目が選択されたものとシステム制御部５０が認識するように構成してもよい。  シャッタボタン２６０は、図１で説明したように、例えば半押し状態で、ＡＦ処理、ＡＥ処理、ＡＷＢ処理、ＥＦ処理等の開始がシステム制御部５０に指示され、全押し状態で、撮影がシステム制御部５０に指示されるように構成されている。録画／再生切り替えスイッチ２６１は、録画モードを再生モードに、再生モードを録画モードにそれぞれ切り替える際に操作する。
【００５３】
ジャンプキー２５９は、方向選択キーと同様の機能を備えており、以下の変更等を行う場合に操作する。カーソル又はハイライト部等のような、複数の選択肢の中で選択されている選択肢（例えば、項目、画像）を変更する場合。選択されている選択肢を特定する指標の位置を変更する場合。尚、ジャンプキー２５９によるカーソルの移動は、方向選択キーによるそれに比べ早くなるように設定もしくは大きくなるように設定してもよい。
【００５４】
ホイール２６３は、ユーザの操作により回転する部材であり、ユーザが回転させることで方向選択キーと同様の機能を持たせたり、回転速度によっては方向選択キーとは異なる動きをさせたりすることもできる。尚、上述した操作系に代えてダイアルスイッチを採用してもよいし、他の操作系を採用することもできる。
【００５５】
図３は、撮像装置で扱う各画像ファイル（各コマ）のデータ構造を示す図である。
【００５６】
図３において、画像ファイル３０１は、先頭に画像ファイルの開始を示すマーカ（SOI）３０２を有し、その後にヘッダ部に相当するアプリケーションマーカ（APP1）３０３を有する。アプリケーションマーカ（APP1）３０３は以下の情報と画像から構成される。
・サイズ（APP1 Length）３０４
・アプリケーションマーカの識別コード（APP1 Identifier Code）３０５
・画像データの作成日時（Date Time）３０６
・画像データが生成された日時（Date Time Original）３０７
・その他の撮影情報（Etc）３０８
・サムネイル画像（Thumbnail Data）３０９
また、画像ファイル３０１に記録される画像データは、量子化テーブル（DQT）３１０、ハフマンテーブル（DHT）３１１、フレーム開始マーカ（SOF）３１２、スキャン開始マーカ（SOS）３１３、圧縮データ３１４から構成される。圧縮データ３１４は、以下、本体画像と称する。そして、画像ファイル３０１は、データの最後を示すマーカ（EOI）３１５により終端される。
【００５７】
サムネイル画像３０９（第２の画像データ）は、圧縮データ（本体画像）３１４（第１の画像データ）を縮小した画像データであり、本体画像よりも画素数の少ないデータである。そのため、本体画像に比べて、表示解像度が低くなる場合がある一方、表示や変倍に必要な処理負荷は少ない。このサムネイル画像３０９はＥｘｉｆ規格であれば、前述のとおりアスペクト比が４：３と規定されているため、本体画像が４：３以外のアスペクト比であれば、本体画像に対応する領域以外は黒塗り領域となる。
【００５８】
尚、本発明の適用範囲はＥｘｉｆ規格のデータに限るものではない。各コマが本体画像のデータである第１の画像データと、第１の画像データよりも画素数の少ない第２の画像データで構成され、第１の画像データと第２の画像データのアスペクト比が異なる可能性がある場合には効果がある。
【００５９】
次に、上記構成を備える本実施の形態の撮像装置の動作を図３乃至図９を参照しながら詳細に説明する。本実施の形態では、サムネイル画像表示から本体画像（通常画像）表示に遷移させる処理を中心に説明する。
【００６０】
図４は、撮像装置の通常画像送りシーケンスを示すフローチャートである。
【００６１】
図４において、撮像装置のシステム制御部５０は、ユーザにより電源ボタン２５１が押下され撮像装置の電源がＯＮとなったことを検知した後、撮像装置が再生起動（画像を再生表示するための起動）されたことを検知した場合、以下の処理を行う。即ち、システム制御部５０は、前回、撮像装置の電源がＯＦＦされた際に画像表示部２８に表示されていた画像を識別するための画像番号ｎをメモリ５２から取得し、画像番号ｎを画像表示部２８に表示する（ステップＳ５０１）。ここでの表示は、画像番号ｎの画像全体が所定の向きで画像表示部２８の表示領域の内側に収まる最大の大きさで１枚表示される、いわゆる全画面表示である。
【００６２】
その後、システム制御部５０は、ホイール２６３が操作されたか否かを判定し（ステップＳ５０２）、左キー２５５、右キー２５６が操作されたか否かを判定する（ステップＳ５０４）。ホイール２６３、左キー２５５、右キー２５６の何れの操作も検知しない場合、システム制御部５０は、ステップＳ５０１に戻り、画像表示部２８に対する画像番号ｎの表示を継続する。
【００６３】
システム制御部５０は、ホイール２６３の操作を検知せず（ステップＳ５０２でＮＯ）、左キー２５５、右キー２５６の操作を検知した場合（ステップＳ５０４でＹＥＳ）、左キー２５５が押下されているか否かを判定する（ステップＳ５０５）。左キー２５５の押下を検知した場合、システム制御部５０は、画像番号ｎを「１」減算する（ステップＳ５０６）。右キー２５６の押下を検知した場合、システム制御部５０は、画像番号ｎを「１」加算する（ステップＳ５０７）。その後、システム制御部５０は、新しく画像番号ｎに設定された画像を画像表示部２８に表示する（ステップＳ５０１）。
【００６４】
システム制御部５０は、ホイール２６３の操作を検知した場合（ステップＳ５０２でＹＥＳ）、ホイール２６３の回転速度が予め設定された閾値１よりも速いか否かを判定する（ステップＳ５０３）。ホイール２６３の回転速度が閾値１よりも遅いと判定した場合、システム制御部５０は、左キー２５５、右キー２５６による画像送りと同様のホイール操作による画像送りシーケンスを実行する。
【００６５】
上記画像送りシーケンスは、ホイール２６３による画像送り効果を直感的にするための処理である。ホイール２６３の回転速度が閾値１よりも遅い場合は（即ち、ユーザがホイール２６３をゆっくり回している間は）、ゆっくりと画像が１枚ずつ画像表示部２８に表示される（画像１枚表示）。これに対し、ホイール２６３の回転速度が閾値１よりも速い場合は、画像１枚表示とは異なった表示を行うことで、画像の検索性を向上させる効果がある。
【００６６】
他方、ホイール２６３の回転速度が閾値１よりも速いと判定した場合、システム制御部５０は、画像表示部２８の表示を図７に示すサムネイル画像表示に切り替える。サムネイル画像送りシーケンスについては図５を用いて説明する。
【００６７】
図５は、撮像装置のサムネイル画像送りシーケンスを示すフローチャートである。
【００６８】
図５において、撮像装置のシステム制御部５０は、画像表示部２８の表示をサムネイル画像表示（図７）に切り替えると、次の処理を行う。画像番号ｎのサムネイル画像７０１を予め定められた表示位置（本例では画面中央部）に強調して表示する強調表示を行う（ステップＳ６０１）。これにより、ユーザはサムネイル画像表示においても現在どの画像を選択しているかを明確に把握することが可能となる。強調表示としては、サムネイル画像７０１を画面中央部に表示する他に、例えば画像枠を太く表示するなど様々な形態が考えられる。尚、ここでの表示されるサムネイル画像は、図４のステップＳ５０１で全画面表示された画像よりも小さい表示サイズとなる。
【００６９】
また、システム制御部５０は、画像番号ｎのサムネイル画像７０１以外の画像番号ｎ−ｘ〜ｎ＋ｘ（ここではｘ＝１）のサムネイル画像７０２、７０３（他の２枚のサムネイル画像）も、サムネイル画像７０１と同一線上（並列）に表示する（ステップＳ６０２）。また、システム制御部５０は、全体の画像番号（全体の画像枚数）のうち画像番号ｎがどのあたりに位置するかを、バー７０４の指標部７０５によりサムネイル画像と同時に表示する。
【００７０】
次に、システム制御部５０は、ホイール２６３、左キー２５５、右キー２５６の操作が設定時間内に行われたか否かを判定するための無操作計測用タイマ（不図示）を起動する（ステップＳ６０３）。システム制御部５０は、無操作計測用タイマがタイムアウトする前に、ホイール２６３の操作が行われたかどうかを判定し（ステップＳ６０４）、左キー２５５、右キー２５６の操作が行われたかどうかを判定する（ステップＳ６０５）。
【００７１】
無操作計測用タイマのタイムアウト前に、ホイール２６３、左キー２５５、右キー２５６の何れかの操作を検知した場合、システム制御部５０は、無操作計測用タイマをリセットする（ステップＳ６０９）。更に、システム制御部５０は、左キー２５５が押下されているかどうか、またはホイール２６３が左回転されているかどうかを判定する（ステップＳ６１０）。
【００７２】
左キー２５５の押下またはホイール２６３の左回転を検知した場合、システム制御部５０は、画像番号ｎを「１」減算する（ステップＳ６１２）。そうでない場合（右キー２５６の押下またはホイール２６３の右回転を検知した場合）、システム制御部５０は、画像番号ｎを「１」加算する（ステップＳ６１１）。その後、システム制御部５０は、新しく画像番号ｎに設定された画像のサムネイル画像を画像表示部２８に表示する（ステップＳ６０１）。
【００７３】
他方、サムネイル画像表示中に、ホイール２６３、左キー２５５、右キー２５６による画像送りが設定時間なされなかった場合（ステップＳ６０７でＹＥＳ）、または決定（ＳＥＴ）ボタン２５３が押下された場合（ステップＳ６０６でＹＥＳ）、次の処理を行う。システム制御部５０は、上記のステップＳ６０３で起動した無操作計測用タイマをリセットし（ステップＳ６０８）、サムネイル画像表示から本体画像（通常画像）表示に遷移するための処理を実行する。
【００７４】
図６は、撮像装置のサムネイル画像表示から本体画像（通常画像）表示に遷移するまでの処理を示すフローチャートである。
【００７５】
図６において、撮像装置のシステム制御部５０は、サムネイル画像表示から本体画像（通常画像）表示に戻る処理を開始すると、次の処理を行う。システム制御部５０は、現状でフォーカスがあたっている画像番号ｎのサムネイル画像において、黒塗り領域を除いた、実質的な画像が表示されている実質画像領域の幅ｎｗ［０］と高さｎｈ［０］を取得する（ステップＳ８０１）。
【００７６】
図８（ａ）を用いて実質画像領域を説明する。表示領域８２０は、画像表示部２８の表示領域全体、あるいは画像表示部２８のうち図４のステップＳ５０１の全画面表示に用いる表示領域であり、１６：９のアスペクト比であるものとする。表示領域８２０の中央には、図７で説明したように、カレント画像ｎのサムネイル画像８０１が表示されている。画像番号ｎのサムネイル画像８０１以外の画像番号ｎ-ｘ〜ｎ＋ｘのサムネイル画像や、カレント画像ｎの位置を示すバーなども表示されるが、図示は省略する。
【００７７】
また、１６：９の表示領域８２０の内側に４：３の矩形が収まる最大のサイズである４：３領域８１０を、点線によって便宜的に示す（実際は表示されない）。この、サムネイル画像８０１のうち黒塗り領域を除く領域が実質画像領域である。実質画像領域は、本体画像に対応する画像の領域である。
【００７８】
図８（ａ）の例では、カレント画像ｎが１６：９の画像であるため、図３で説明したようにカレント画像ｎの画像ファイル内に含まれるサムネイル画像には図示のように黒塗り領域があり、実質画像領域は１６：９のアスペクト比である。尚、本体画像が４：３の場合はサムネイル画像も４：３となるため、黒塗り領域は存在せず、実質画像領域はサムネイル画像が表示されている領域の全体と同一となる。
【００７９】
次に、システム制御部５０は、取得した幅ｎｗ［０］と高さｎｈ［０］を基に、サムネイル画像８０１において、実質画像領域が表示されている表示位置８３０（ｎＸ［０］、ｎＹ［０］）を算出する（ステップＳ８０２）。尚、図８では左上を基準点としているが、他の場所を基準点としてもよい。
【００８０】
本実施の形態では、表示されている画像を全画面表示まで順次拡大していく。システム制御部５０は、そのためのカウンタｉを０に初期化する（ステップＳ８０３）。
【００８１】
続いて、システム制御部５０は、取得した実質画像領域を、表示領域８２０の内側に収まる最大の大きさに拡大するため（全画面表示するための）の倍率Ｍを算出する。倍率Ｍは、ステップＳ８０１で取得した実質画像領域の幅ｎｗ［０］、高さｎｈ［０］と、表示領域８２０の幅と高さに基づいて算出する。そして、画像を表示すべき幅ｎｗ［ｉ］と高さｎｈ［ｉ］に、ステップＳ８０１で取得した幅ｎｗ［０］、高さｎｈ［０］をセットする。また、画像を表示すべき位置（ｎＸ［ｉ］、ｎＹ［ｉ］）に、ステップＳ８０２で取得した実質画像領域の表示位置（ｎＸ［０］、ｎＹ［０］）をセットする（ステップＳ８０４）。
【００８２】
次に、システム制御部５０は、画像を表示すべき位置（ｎＸ［ｉ］、ｎＹ［ｉ］）に、幅ｎｗ［ｉ］、高さｎｈ［ｉ］の大きさで、変倍（ほとんどの場合、本体画像のサイズが大きく、縮小となる）した本体画像を設定時間表示する（ステップＳ８０５）。
【００８３】
上述したように、Ｅｘｉｆ規格で規定されたサムネイル画像のアスペクト比（縦横比）は４：３である。そのため、１６：９のアスペクト比の画像のサムネイル画像においては、上下に黒塗り領域を付加することで、擬似的に１６：９のアスペクト比の画像を表現している。従って、１６：９のアスペクト比の画像を拡大表示する際、まずステップＳ８０４で、サムネイル画像８０１内の実質画像領域（黒塗り領域を取り除いた部分）を、１６：９のアスペクト比である本体画像を縮小した画像に置き換える。これにより、サムネイル画像表示から本体画像表示への切り替えが目立たずに（違和感なく）滑らかに行うことが可能となる。
【００８４】
次に、システム制御部５０は、表示されている本体画像の幅ｎｗ［ｉ］が表示領域８２０の幅に合致するか、または表示されている本体画像の高さｎｈ［ｉ］が表示領域８２０の高さに合致するかどうかを判定する（ステップＳ８０６）。これは言い換えれば、表示されている本体画像が全画面表示のサイズとなったか否かの判定であり、実質的にこの判定ができるものであれば判定基準は何でもよい。ステップＳ８０６が真の場合は、本処理を終了し、偽の場合は、システム制御部５０は、カウンタｉをインクリメントする（ステップＳ８０７）。
【００８５】
次に、システム制御部５０は、下記の式により拡大して次に表示すべき画像の幅ｎｗ［ｉ］と高さｎｈ［ｉ］を算出する。
【００８６】
ｎｗ［ｉ］＝ｎｗ［０］＊Ｍ＊ｉ／Ｉ
ｎｈ［ｉ］＝ｎｈ［０］＊Ｍ＊ｉ／Ｉ
Ｍ：最初のサムネイル画像の実質画像領域のサイズを、表示領域８２０の内側に収まる最大のサイズに拡大するため（全画面表示するための）の倍率
Ｉ：画像を順次拡大して全画面表示するアニメーション効果における拡大回数（アニメーション効果で表示するコマ数）
尚、ｎｗ［０］、ｎｈ［０］は、図５のステップＳ６０１、ステップＳ６０２でサムネイル画像を表示する大きさと、対応する本体画像のアスペクト比に依存する値である。図５のステップＳ６０１、ステップＳ６０２でサムネイル画像を表示する大きさは予め設計者によって任意に設定されている固定値であるので、ｎｗ［０］、ｎｈ［０］も対応する本体画像のアスペクト比毎に定まる固定値である。また、倍率Ｍは表示領域８０２の大きさが固定値であれば固定値である。拡大回数Ｉも設計者によって予め任意に定められる固定値である。そのため、ｎｗ［ｉ］、ｎｈ［ｉ］については、本体画像のアスペクト比と拡大回数に応じた値を予め定めておくことができる。従って、ステップＳ８０７では、ｎｗ［ｉ］、ｎｈ［ｉ］を算出するのではなく、アスペクト比と拡大回数毎に予め記憶された幅、高さを単に読み出してくるものとしても良い。
【００８７】
次に、システム制御部５０は、ステップＳ８０７で算出した幅ｎｗ［ｉ］と高さｎｈ［ｉ］を基に、本体画像を幅ｎｗ［ｉ］、高さｎｈ［ｉ］で変倍した画像を表示すべき表示位置（ｎＸ［ｉ］、ｎＹ［ｉ］）を算出する（ステップＳ８０９）。具体的には、幅ｎｗ［ｉ］、高さｎｈ［ｉ］の矩形を表示領域８２０の中央に表示したときの、矩形の左上の座標を算出する。尚、これも予め定めておくことも可能なので、予め記憶されている拡大回数毎の表示位置を単に読み出してくるものとしてもよい。
【００８８】
その後、システム制御部５０は、算出した表示位置（ｎＸ［ｉ］、ｎＹ［ｉ］）に、ステップＳ８０８で算出した幅ｎｗ［ｉ］、高さｎｈ［ｉ］の大きさに、本体画像を変倍した画像を表示する（ステップＳ８０５）。
【００８９】
上述した一連の処理を、ステップＳ８０６で真と判定されるまで繰り返すことで、画像番号ｎの本体画像を順次拡大してアニメーション表示することができる。
【００９０】
図８に、図６の処理を行って順次拡大表示されるアニメーション表示の例を示す。
【００９１】
図８（ａ）は、図６の処理が開始された時点で表示されている、拡大前のサムネイル画像の表示例である。詳細は前述した通りである。
【００９２】
図８（ｂ）は、図６のステップＳ８０５の処理が最初に行われた時点の表示例である。画像８０２は本体画像を変倍した画像であり、サムネイル画像８０１の実質画像領域と同じ位置に同じ大きさで表示される。すなわち、基準点８３０は図８（ａ）と（ｂ）では同じ位置である。
【００９３】
図８（ｃ）は、拡大途中の表示例である。画像８０３は本体画像を変倍した画像であり、ステップＳ８０８で算出したサイズで、ステップＳ８０９で算出した表示位置に表示されている。
【００９４】
図８（ｄ）は、同じく拡大途中の表示例である。ただし、ステップＳ８０８で算出した幅ｎｗ［ｉ］（表示されている画像８０４の幅）が、４：３領域８１０の幅と一致した場合の例である。
【００９５】
図８（ｅ）は、同じく拡大途中の表示例である。ただし、ステップＳ８０８で算出した幅ｎｗ［ｉ］（表示している画像８０５の幅）が、４：３領域８１０の幅を超えた場合の例である。この表示を行えることが本発明の特徴である。
【００９６】
図８（ｆ）は、拡大のアニメーション表示が終了し、本体画像を全画面表示している例である。本体画像を変倍した画像８０６の幅が表示領域８２０の幅と一致しており、図６のステップＳ８０６の判定が真となる。
【００９７】
仮に、サムネイル画像を順次拡大していくものとすると、１６：９の画像のサムネイル画像は黒塗り領域も含めて４：３であるために、図８（ｄ）の大きさで一旦、画面いっぱいとなってしまう。その後、本体画像の全画面表示に置き換えると大きさが一気に変わって図８（ｆ）の表示となってしまい、滑らかなアニメーション表示とならない。しかし、本発明によれば、拡大表示の際にサムネイル画像ではなく、本体画像を用いることによって、図８（ｅ）のようなサイズの表示も行うことができる。その分、滑らかなアニメーション表示とすることができる。
【００９８】
尚、図６の処理では、まずサムネイル画像を本体画像を変倍した画像に置き換え、サムネイル画像については拡大処理を行わず、本体画像のみを用いて拡大のアニメーション表示を行うものとした。しかし、これに限られるものではなく、以下のような処理を行ってもよい。
【００９９】
まず、サムネイル画像に変倍処理を行うことで拡大のアニメーション表示を行う。ただし、黒塗り領域も含むサムネイル画像全体の表示幅または高さが、表示領域に一致する前、あるいは一致すると同時に、その時点でサムネイル画像の実質画像領域が表示されているサイズに変倍した本体画像でサムネイル画像を置き換える。その後、全画面表示になるまで本体画像を用いてさらに拡大のアニメーション表示を行う。
【０１００】
このようにしても図８（ｅ）の表示を行うことができるので、滑らかな拡大のアニメーション表示を行うことができる。また、途中までは本体画像よりも処理負荷の低いサムネイル画像に対して変倍処理を行うため、比較的少ない処理負荷によって滑らかな拡大のアニメーション表示を行うことができる。いずれにしても、表示する画像を、サムネイル画像から、本体画像をサムネイル画像の実質画像領域の大きさに変倍したものに置き換え、置き換わった本体画像の表示サイズを拡大していく工程が存在する。これによって滑らかな拡大を実現する。
【０１０１】
また、本実施の形態では、ホイール２６３の回転速度によりサムネイル画像表示と本体画像表示の遷移を行ったが、これに限定されるものではない。例えば左キー２５５或いは右キー２５６が設定時間以上押されていた場合や、ホイール２６３の回転が低速でも継続していた場合は、サムネイル画像表示に遷移してもよい。
【０１０２】
さらに、本実施の形態では、サムネイル画像表示から本体画像表示に戻る際に、強調表示されているサムネイル画像７０１（図７）を通常表示することを更に明示するように構成してもよい。即ち、サムネイル画像７０１を通常表示することを更に明示するために、サムネイル画像７０１以外に表示されているサムネイル画像７０２、７０３を非表示にする処理をシステム制御部５０で実行してもよい。
【０１０３】
また、本実施の形態は、サムネイル画像のアスペクト比と本体画像のアスペクト比が異なる場合に上記の効果が得られる。従って、サムネイル画像表示から本体画像表示へ遷移させる際に、システム制御部５０でサムネイル画像のアスペクト比と本体画像のアスペクト比を比較し、同一のアスペクト比であるか否かを判定してもよい。そして、アスペクト比が同一でない場合には上記で説明した処理を行い、同一である場合には本体画像への置き換えを、サムネイル画像を用いてサムネイル画像が全画面表示になるまで拡大アニメーション表示を行った後に行っても良い。これにより、処理負荷をより軽くすることが可能となる。
【０１０４】
〔他の実施の形態〕
また、本発明の目的は、以下の処理を実行することにより達成される。即ち、上述した実施形態の機能を実現するソフトウェアのプログラムコードを記録した記憶媒体を、システム或いは装置に供給し、そのシステム或いは装置のコンピュータ(又はＣＰＵやＭＰＵ等)が記憶媒体に格納されたプログラムコードを読み出す処理である。
【０１０５】
この場合、記憶媒体から読み出されたプログラムコード自体が前述した実施の形態の機能を実現することになり、そのプログラムコード及び該プログラムコードを記憶した記憶媒体は本発明を構成することになる。
【０１０６】
また、プログラムコードを供給するための記憶媒体としては、次のものを用いることができる。例えば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１０７】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理により前述した実施形態の機能が実現される場合も含まれる。
【０１０８】
更に、前述した実施形態の機能が以下の処理により実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【符号の説明】
【０１０９】
１４  撮像素子
２８  画像表示部
５０  システム制御部
１００  撮像装置
【図１】
2010192990.tif 000003
【図２】
2010192990.tif 000004
【図３】
2010192990.tif 000005
【図４】
2010192990.tif 000006
【図５】
2010192990.tif 000007
【図６】
2010192990.tif 000008
【図７】
2010192990.tif 000009
【図８】
2010192990.tif 000010
【図９】
2010192990.tif 000011
【図１０】
2010192990.tif 000012